(57)【要約】    【課題】  非力な介護者でも被介護者を抱き上げることができる介護用トランスファを提供する。    【解決手段】  本体１２に被介護者Ｈの尻部及び腰部を乗せた状態で、右手を被介護者の首の下に回してから取っ手１６Ａを掴み、左手を被介護者の大腿部の下に回してから取っ手１６Ｂを掴む。介護者Ｋが被介護者Ｈを抱き上げる際に、腕力のみでなく、背負いベルト２０、２２を介して背筋力を併せて用いることができるため、容易に抱き上げることができる。【選択図】  図６
2005334347.tif 000002
【特許請求の範囲】
【請求項１】
被介護者の尻部及び腰部を支持する布状体から成り介護者右側の側縁と介護者左側の側縁と介護者手前側の側縁と介護者反対側の側縁とを備える本体と、
前記本体の介護者右側の側縁と介護者左側の側縁であって、介護者反対側の側縁近傍に取り付けられた１対の取っ手と、
基端が前記本体の介護者手前側の側縁に取り付けられ、先端側に係脱可能な第１係止具を備える１対のベルトと、
前記本体の介護者反対側の側縁に取り付けられた前記第１係止具と係脱可能な１対の第２係止具と、
前記ベルトに設けられた長さ調整具とを備え、
前記１対のベルトを交差させた状態で、前記第１係止具が前記第２係止部に係合されることを特徴とする介護用トランスファ。
【請求項２】
前記ベルトの一方に、他方のベルトを挿通させるためのテープ状のベルト片を取り付けたことを特徴とする請求項１の介護用トランスファ。
【請求項３】
前記本体の介護者右側の側縁と介護者左側の側縁であって、介護者手前側の側縁近傍に１対の取っ手を設けたことを特徴とする請求項１又は請求項２の介護用トランスファ。
【請求項４】
前記１対のベルトに異なる色彩を付け、それぞれのベルトの第１係止具に接続される第２係止具側に、係合されるベルトと同じ色彩を付けたことを特徴とする請求項１〜請求項３のいずれか１の介護用トランスファ。
【請求項５】
前記１対のベルトの先端部にファスナテープを取り付け、前記本体側に該ファスナテープと接離可能なファスナテープを設けたことを特徴とする請求項１〜請求項４のいずれか１の介護用トランスファ。
【請求項６】
前記本体が、前記ベルトの前記基部から本体側へ延在する部位に複数の補強ベルトを渡し、前記ベルトの延在する部位及び前記補強ベルトに網状布を縫い付けてなることを特徴とする請求項１〜請求項５のいずれか１の介護用トランスファ。
【請求項７】
前記取っ手は、前記ベルトの前記基部から本体側へ延在する部位に縫い付けられていることを特徴とする請求項６の介護用トランスファ。
【発明の詳細な説明】
【技術分野】
【０００１】
本発明は、被介護者をベッドから抱き上げるための介護用トランスファに関する。
【背景技術】
【０００２】
被介護者をベッドから抱き上げることは、介護者にとって重労働であった。特に、不自然な姿勢で被介護者を抱き上げることになるため、介護者自体の腰を傷める原因となることがあった。また、腕力のある者でなければ、被介護者を抱き上げることができなかった。
【０００３】
特許文献１には、被介護者の尻部を抱持する布状の本体に、把持用の取っ手と、肩掛け用のベルトを取り付けた介護用トランスファが開示されている。
【特許文献１】特開２０００−１８９４６３号公報
【発明の開示】
【発明が解決しようとする課題】
【０００４】
しかしながら、特許文献１は、足の不自由な被介護者をベッドから車椅子や椅子に移し変えるための介護用トランスファであって、被介護者が介護者に抱きついた状態で使用されるものである。従って、介護者に抱き付くことができない意識レベルが低い被介護者には使用することができなかった。
【０００５】
本発明は、上述した課題を解決するためになされたものであり、その目的とするところは、非力な介護者でも被介護者を抱き上げることができる介護用トランスファを提供することにある。
【課題を解決するための手段】
【０００６】
上記目的を達成するため、請求項１の発明は、被介護者の尻部及び腰部を支持する布状体から成り介護者右側の側縁と介護者左側の側縁と介護者手前側の側縁と介護者反対側の側縁とを備える本体と、
前記本体の介護者右側の側縁と介護者左側の側縁であって、介護者反対側の側縁近傍に取り付けられた１対の取っ手と、
基端が前記本体の介護者手前側の側縁に取り付けられ、先端側に係脱可能な第１係止具を備える１対のベルトと、
前記本体の介護者反対側の側縁に取り付けられた前記第１係止具と係脱可能な１対の第２係止具と、
前記ベルトに設けられた長さ調整具とを備え、
前記１対のベルトを交差させた状態で、前記第１係止具が前記第２係止部に係合されることを技術的特徴とする。
【発明の効果】
【０００７】
請求項１に記載の介護用トランスファによれば、本体上に被介護者の尻部及び腰部を乗せた状態で、１対のベルトをタスキ掛けにした状態で、当該ベルトの第１係止具を第２係止具に係合させる。被介護者がベルトを背中側に掛けて、一方の手を被介護者の首の下に回してから取っ手を掴み、他方の手を被介護者の大腿部の下に回してから取っ手を掴む。被介護者が介護者を抱き上げる際に、腕力のみでなく、ベルトを介して背筋力を併せて用いることができるため、容易に抱き上げることができる。これにより、介護の際、介護者が腰を傷めてギックリ腰等を患うことを防止できる。また、抱き上げる際に、介護用トランスファの本体に被介護者の尻部及び腰部を乗せた状態で、一方の手を被介護者の首の下に回してから取っ手を掴み、他方の手を被介護者の大腿部の下に回してから取っ手を掴んでいるため、介護者をバランスよく抱き上げられるため、安全である。特に、被介護者は、取っ手を掴むため、例え介護者が滑りやすい衣服を身につけていても、介護者を落とすことがなくなる。更に、ベルトの長さを長さ調整具で調整できるため、被介護者及び介護者の体格に合わせて介護用トランスファを用いることができる。
【０００８】
請求項２の介護用トランスファでは、ベルトの一方に、他方のベルトを挿通させるためのテープ状のベルト片の両端を取り付けてある。このため、ベルトをタスキ掛けにした状態が常に保たれるため、安全に被介護者を抱き上げることができる。
【０００９】
請求項３の介護用トランスファでは、本体の介護者右側の側縁と介護者左側の側縁であって、介護者手前側の側縁近傍に１対の取っ手が設けられている。このため、小さな体格（例えば子供）の被介護者を抱き上げる際には、該介護者手前側の側縁近傍の１対の取っ手にそれぞれ腕を通した状態で、介護者反対側の側縁近傍の１対の取っ手をそれぞれ把持することで、被介護者をしっかりと抱き上げることができる。反対に体格の大きな被介護者を持ち上げる際には、２名の介護者でそれぞれ、介護者手前側の側縁近傍の１対の取っ手と、介護者反対側の側縁近傍の１対の取っ手を把持することで、被介護者を容易に抱き上げることができる。
【００１０】
請求項４の介護用トランスファでは、１対のベルトに異なる色彩を付け、それぞれのベルトの第１係止具に接続される第２係止具側に、係合されるベルトと同じ色彩を付けてある。このため、同色の第２係止具側に第１係止具を取り付けることで、ベルトを本体側へ適切に接続させることができる。
【００１１】
請求項５の介護用トランスファでは、１対のベルトの先端部にファスナテープを取り付け、本体側に該ファスナテープと接離可能なファスナテープを設ている。このため、ベルトの先端部が邪魔になることがない。特に、ベルトを短めに調整して、ベルト先端部が長くなった際にも、邪魔になることがない。
【００１２】
請求項６の介護用トランスファでは、本体が、ベルトの前記基部から本体側へ延在する部位に複数の補強ベルトを渡し、ベルトの延在する部位及び補強ベルトに網状布を縫い付けてなる。即ち、１対のベルトを延在させることにより本体も構成されているため、本体側とベルトとの間に継ぎ目が無いので、ベルト切れにより被介護者を落下させることが無くなり安全である。
【００１３】
請求項７の介護用トランスファでは、取っ手は、ベルトの基部から本体側へ延在する部位に縫い付けられている。このため、取っ手を強固に取り付けることができる。
【発明を実施するための最良の形態】
【００１４】
次に、図面に基づいて本発明の実施の形態につき説明する。
図１は、本発明の第１実施形態に係る介護用トランスファの平面図であり、図２は裏面図である。図３は、介護用トランスファのベルトを留めた状態の平面図であり、図４は、介護用トランスファのベルトを留め、ファスナテープを外した状態の平面図である。図６、図７は、介護者が被介護者を抱き上げている状態の説明図であり、図６は、被介護者を正面側から見た図で、図７は、被介護者を背中側から見た図である。
【００１５】
図１に示すように、介護用トランスファ１０は、被介護者の尻部及び腰部を支持する布状体から成る本体１２と、被介護者の肩に掛ける背負いベルト２０、２２とから成る。本体１２は、介護者右側の側縁１２Ｒと介護者左側の側縁１２Ｌと介護者手前側の側縁１２Ｋと介護者反対側の側縁１２Ｏとを備え、背負いベルト２０、２２の本体１２側へ延在する部位に補強ベルト２４、２６、２８、２９を渡して縫い合わせ、ベルト２０、２２の延在する部位及び補強ベルト２４、２６、２８、２９にナイロンネット１４を縫い付けてなる。補強ベルト２６と補強ベルト２８との間には補強ベルト４２、４４が渡され、縫い合わされている。背負いベルト２０、２２、補強ベルト２４、２６、２８、２９及び補強ベルト４２、４４は、車両用のシートベルト等に用いられるナイロンベルトが用いられている。本体１２の外周には、ナイロン布等からなる枠布１８が縫い合わされている。
【００１６】
本体１２の介護者右側の側縁１２Ｒと介護者左側の側縁１２Ｌであって、介護者反対側の側縁１２Ｏの近傍には、取っ手１６Ａ、１６Ｂが背負いベルト２０、２２の延在部に縫い付けられている。該介護者右側の側縁１２Ｒと介護者左側の側縁１２Ｌは、介護者反対側の側縁１２Ｏに向かって幅が狭くなるようにテーパーが付いている。一方、本体１２の介護者右側の側縁１２Ｒと介護者左側の側縁１２Ｌであって、介護者手前側の側縁１２Ｋ近傍には、取っ手６Ｃ、１６Ｄが背負いベルト２０、２２の延在部に縫い付けられている。取っ手１６Ａ、１６Ｂ及び取っ手６Ｃ、１６Ｄは、ナイロン布等の可撓性を有すると共に破損し難い布材から成る。
【００１７】
本端の介護者反対側の側縁１２Ｏには、雌ファスナ３０Ｆが接続ベルト４０、４１を介して取付られている。接続ベルト４０、４１は、補強ベルト２４及び補強ベルト２６に縫い付けられている。接続ベルト４０、４１は、補強ベルトと同一のベルト材が用いられている。
【００１８】
背負いベルト２０、２２には、長さ調整用の長さ調整具３２が取り付けられている。長さ調整具３２には、接続ベルト４６を介して上述した雌ファスナと係脱可能な雄ファスナ３０Ｍが取り付けられている。図５（Ｃ）に示す斜視図のように、長さ調整具３２は、ロック板３２Ｒを持ち上げることで、背負いベルト２０の長さを調整でき、ロック板３２Ｒをロックさせることで、背負いベルト２０を固定できるように構成されている。一方、図５（Ａ）に示す雄ファスナ３０Ｍ、雌ファスナ３０Ｆは、図５（Ｂ）に示すように雄ファスナ３０Ｍを雌ファスナ３０Ｆへ嵌入することでロックが為され、アンロック部３０Ｕ、３０Ｕを押し込むことで、ロック解除がなされるように構成されている。
【００１９】
図４中に示すように、背負いベルト２０、２２の先端裏面には、マジックテープ（登録商標）等からなるファスナテープ３４Ｍが取り付けられている。一方、図２中に示すように、接続ベルト４０、４１の裏面側には、上記ファスナテープ３４Ｍと接離可能なマジックテープ（登録商標）等からなるファスナテープ３４Ｆが取り付けられている。図３及び図２中に示すように、背負いベルト２２には、背負いベルト２０を挿通させた状態で保持するためのベルト片３８の両端が縫い付けられている。図２中に示すように、背負いベルト２０の裏面側、及び、当該背負いベルト２０に接続された接続ベルト４６の裏面側には、黄色テープ３６Ｙが貼り付けられている。一方、背負いベルト２２の裏面側、及び、当該背負いベルト２２に接続された接続ベルト４６の裏面側には、赤色テープ３６Ｒが貼り付けられている。図３に示すように、黄色テープ３６Ｙが貼り付けられた背負いベルト２０が接続される雌ファスナ３０Ｆを支持する接続ベルト４１には、図１中に示すように黄色テープ３６Ｙが貼り付けられている。一方、図３に示すように、赤色テープ３６Ｒが貼り付けられた背負いベルト２２が接続される雌ファスナ３０Ｆを支持する接続ベルト４０には、図１中に示すように赤色テープ３６Ｒが貼り付けられている。
【００２０】
[介護用トランスファの使用方法]
ここで、図６〜図８を参照して介護用トランスファ１０の使用方法について説明する。  先ず、図８（Ａ）に示すように、被介護者Ｈの下側に本体１２を通す。そして、図８（Ｂ）に示すように、背負いベルト２０、２２を交差させ、背負いベルト２２のベルト片３８に背負いベルト２０を挿通させた状態で、背負いベルト２０、２２の雄ファスナ３０Ｍを、雌ファスナ３０Ｆにロックする。なお、この際に、被介護者及び介護者の体格に合わせて、背負いベルト２０、２２の長さを長さ調整具３２で調整し、図４を参照して上述したように、背負いベルト２０、２２の先端に付けられたファスナテープ３４Ｍを、図２中に示すファスナテープ３４Ｆに貼り付け、背負いベルト２０、２２の先端を固定することで、邪魔にならないようにする。その後、図８（Ｂ）中矢印Ｚで示す方向に被介護者が頭から背負いベルト２０、２２をくぐる。そして、図７に示すように介護者Ｋが背負いベルト２０、２２を交差させた状態で背中側に掛けて、図６に示すように右手を被介護者Ｈの首の下に回してから取っ手１６Ａを掴み、左手を被介護者Ｈの大腿部の下に回してから取っ手１６Ｂを掴み、介護者Ｋを抱き上げる。なお、この例では、介護者Ｋの右側に被介護者Ｈの頭部が来る例を示したが、介護者Ｋの左側に頭部が来る場合も同様にして抱き起こすことができる。
【００２１】
ここで、小さな体格（例えば子供）の被介護者を抱き上げる際には、該介護者手前側の側縁１２Ｋ近傍側の取っ手１６Ｃ、１６Ｄにそれぞれ腕を通した状態で、介護者反対側の側縁１２Ｏ近傍側の取っ手１６Ａ、１６Ｂをそれぞれ把持することで、被介護者をしっかりと抱き上げることができる。反対に体格の大きな被介護者を持ち上げる際には、２名の介護者でそれぞれ、取っ手１６Ａ、１６Ｂと取っ手１６Ｃ、１６Ｄを把持することで、被介護者を容易に持ち上げることができる。
【００２２】
第１実施形態の介護用トランスファ１０では、介護者Ｋが被介護者Ｈを抱き上げる（だっこする）際に、腕力のみでなく、背負いベルト２０、２２を介して背筋力を併せて用いることができるため、容易に抱き上げることができる。これにより、介護の際、介護者が腰を傷めてギックリ腰等を患うことを防止できる。また、抱き上げる際に、介護用トランスファの本体１２に被介護者Ｈの尻部及び腰部を乗せた状態で、右手を被介護者の首の下に回してから取っ手１６Ａを掴み、左手を被介護者の大腿部の下に回してから取っ手１６Ｂを掴んでいるため、介護者をバランスよく抱き上げられるため、安全である。特に、被介護者は、握り易い取っ手１６Ａ、１６Ｂを掴むため、例え介護者が滑りやすい衣服を身につけていても、介護者を落とすことがなくなる。
【００２３】
ここで、介護用トランスファ１０は、背負いベルト２２に、背負いベルト２０を挿通させるためのテープ状のベルト片３８の両端を縫い付けてある。このため、図７に示すようにベルトをタスキ掛けにした状態が常に保たれるため、背負いベルト２０、２２が肩からずり落ちることがなく、安全に被介護者Ｈを抱き上げることができる。
【００２４】
第１実施形態の介護用トランスファでは、背負いベルト２０の裏面側、及び、当該背負いベルト２０に接続された接続ベルト４６の裏面側には、黄色テープ３６Ｙが貼り付けられている。一方、背負いベルト２２の裏面側、及び、当該背負いベルト２２に接続された接続ベルト４６の裏面側には、赤色テープ３６Ｒが貼り付けられている。黄色テープ３６Ｙが貼り付けられた背負いベルト２０が接続される雌ファスナ３０Ｆを支持する接続ベルト４１には黄色テープ３６Ｙが貼り付けられている。一方、赤色テープ３６Ｒが貼り付けられた背負いベルト２２が接続される雌ファスナ３０Ｆを支持する接続ベルト４０には赤色テープ３６Ｒが貼り付けられている。このため、同色の雄ファスナ３０Ｍを同色の雌ファスナ３０Ｆを取り付けることで、背負いベルト２０、２２を本体１２側へ適切に接続させることができる。
【００２５】
第１実施形態の介護用トランスファ１０では、背負いベルト２０、２２の先端部にファスナテープ３４Ｍを取り付け、本体１２側に該ファスナテープ３４Ｍと接離可能なファスナテープ３４Ｆが設けられている。このため、背負いベルト２０、２２の先端部が邪魔になることがない。特に、背負いベルト２０、２２を短めに調整して、ベルト先端部が長くなった際にも、邪魔になることがない。
【００２６】
第１実施形態の介護用トランスファ１０では、本体１２が、背負いベルト２０、２２の基部から本体１２側へ延在する部位に複数の補強ベルト２４、２６、２８、２９を渡し、背負いベルト２０、２２の延在する部位及び補強ベルト２４、２６、２８、２９にネット１４を縫い付けてなる。即ち、１対の背負いベルト２０、２２を延在させることにより本体１２も構成されているため、本体１２側と背負いベルト２０、２２との間に継ぎ目が無いので、ベルト切れにより被介護者を落下させることが無くなり安全である。更に、取っ手１６Ａ、１６Ｂ、１６Ｃ、１６Ｄは、背負いベルト２０、２２の基部から本体１２側へ延在する部位に縫い付けられている。このため、取っ手１６Ａ、１６Ｂ、１６Ｃ、１６Ｄを強固に取り付けることができる。
【００２７】
更に、第１実施形態では、本体１２にナイロンメッシュからなるネット１４を用いるため、手入れが簡単で、常に清潔にして使用することができる。なお、上述した第１、実施形態では、ネット１４、背負いベルト２０、２２、補強ベルト２４、２６、２８、２９、補強ベルト４２、４４、接続ベルト４０、４１、接続ベルト４６にナイロンを用いたが、これらは適宜の材質の物を用い得ることは言うまでもない。
【図面の簡単な説明】
【００２８】
【図１】本発明の第１実施形態に係る介護用トランスファの平面図である。
【図２】介護用トランスファの裏面図である。
【図３】介護用トランスファのベルトを留めた状態の平面図である。
【図４】介護用トランスファのベルトを留め、ファスナテープを外した状態の平面図である。
【図５】図５（Ａ）は接続前の接続ファスナの平面図であり、図５（Ｂ）は接続状態の接続ファスナの平面図であり、図５（Ｃ）は調整具の斜視図である。
【図６】介護者が被介護者を抱き上げている状態の説明図である。
【図７】介護者が被介護者を抱き上げている状態の説明図である。
【図８】図８（Ａ）及び図８（Ｂ）は、介護用トランスファの使用方法の説明図である。
【符号の説明】
【００２９】
１０  介護用トランスファ
１２  本体
１２Ｒ  介護者右側の側縁
１２Ｌ  介護者左側の側縁
１２Ｋ  介護者手前側の側縁
１２Ｏ  介護者反対側の側縁
１４  ネット
１６Ａ、１６Ｂ、１６Ｃ、１６Ｄ  リング材
１８  枠布
２０  背負いベルト
２２  背負いベルト
２４  補強ベルト
２６  補強ベルト
２８  補強ベルト
２９  補強ベルト
３０  接続ファスナ
３０Ｍ  雄ファスナ
３０Ｆ  雌ファスナ
３２  長さ調整具
３４Ｍ  ファスナテープ
３４Ｆ  ファスナテープ
３６Ｒ  赤色カラーテープ
３６Ｙ  黄色カラーテープ
３８  ベルト片
４０  接続ベルト
４２  補強ベルト
４４  補強ベルト
Ｋ  介護者
Ｈ  被介護者
【図１】
2005334347.tif 000003
【図２】
2005334347.tif 000004
【図３】
2005334347.tif 000005
【図４】
2005334347.tif 000006
【図５】
2005334347.tif 000007
【図６】
2005334347.tif 000008
【図７】
2005334347.tif 000009
【図８】
2005334347.tif 000010